(57)【特許請求の範囲】
【請求項１】
吐風口及び吸い込み口を有するハウジングの内部に、ファンとモータと整流翼及びヒータ部を主な構成部品として備えているヘアードライヤであって、吐風口のノズルを外側ノズルと内側ノズルとで構成し、内側ノズルの上流側部分が断面形状においてノズル中心軸に略平行となるとともに下流側部分が断面形状においてノズル中心軸に向けて傾斜させて成ることを特徴とするヘアードライヤ。
【請求項２】
外側ノズルと内側ノズルとをノズル中心軸の長さ方向において重なっていることを特徴とする請求項１記載のヘアードライヤ。
【請求項３】
内側ノズルの下流側端部が外側ノズルの下流側端部よりも下流側にあり、内側ノズルの上流側端部が外側ノズルの下流側端部にノズル中心軸の長さ方向において重なっていることを特徴とする請求項１記載のヘアードライヤ。
【請求項４】
内側ノズルを対向する外側ノズル片にて挟み込む形状にして成ることを特徴とする請求項１記載のヘアードライヤ。
【請求項５】
内側ノズルの下流側端部がその断面形状において、内側に凸になっていることを特徴とする請求項１記載のヘアードライヤ。
【請求項６】
内側ノズルの下流側の開口面積が外側ノズルの開口面積よりも大きくして成ることを特徴とする請求項１記載のヘアードライヤ。
【発明の詳細な説明】
【０００１】
【発明の属する技術分野】
本発明は、ヘアードライヤに関し、詳しくは、ノズル形状によって、吐風口からの風量の減少を抑えながら風速を増そうとする技術に係るものである。
【０００２】
【従来の技術】
従来、ヘアードライヤの吐風口には、風を絞って毛髪のセット・乾燥をおこなうノズルを形成している。そして、図９に示す実開昭５８−１４３６０４号のように、外側ノズル９と内側ノズル１０を備えてノズル面積を変化させているものもある。
【０００３】
【発明が解決しようとする課題】
ところで、ノズル面積を変化させて絞るだけでは風速の速い風を得ることができるが、絞ることにより、風量が減少するのであり、風の温度が上昇して毛髪を傷める等の問題があった。
【０００４】
そこで、ノズルの中心（軸）部の風を絞り、外周部の風は絞らずに吐風することで、風量を減らさずに風速を上げる方法が考えられるが、図９の上記従来例のように、内側ノズル１０を絞ると内側ノズル１０の上流側端部１０ｂのエッジおいて剥離が生じて風の流れにロスが生じるものとなるのである。
【０００５】
本発明はこのような問題を解消しようとするものであり、吐風口のノズルによって、風量の減少を軽減しながら風速を増すことができ、良好なセット・乾燥ができるヘアードライヤを提供することを課題とするものである。
【０００６】
【課題を解決するための手段】
本発明においては、吐風口１及び吸い込み口２を有するハウジング３の内部に、ファン４とモータ５と整流翼６及びヒータ部７を主な構成部品として備えているヘアードライヤであって、吐風口１のノズル８を外側ノズル９と内側ノズル１０とで構成し、内側ノズル１０の上流側部分１０ｅが断面形状においてノズル中心軸Ｘに略平行となるとともに下流側部分１０ｆが断面形状においてノズル中心軸Ｘに向けて傾斜させてあることを特徴とするものである。このような構成によれば、風の流れが内側ノズル１０の上流側部分１０ｅに沿ってノズル中心軸Ｘに略平行となり、その後、内側ノズル１０の下流側部分１０ｆに沿ってノズル中心軸Ｘ側に向くのであり、空気の粘性により内側ノズル１０の壁面に寄せられ、剥離し難くなり、結果として、風量の減少を軽減しながら風速を増すことができ、良好なセット・乾燥がおこなえるという利点がある。
【０００７】
ところで、外側ノズル９と内側ノズル１０とをノズル中心軸Ｘの長さ方向において重ねるのが好ましく、内側ノズル１０の下流側端部１０ａが外側ノズル９の下流側端部９ａよりも下流側にあり、内側ノズル１０の上流側端部１０ｂが外側ノズル９の下流側端部９ａにノズル中心軸Ｘの長さ方向において重ねることで、請求項１の作用がより効果的になるものである。
【０００８】
ちなみに、外側ノズル９と内側ノズル１０を重ねない場合には、図５に示すように、内側ノズル１０の外周部から風が広がって内側ノズル１０の壁面から剥離しやすく、風速のロスが生じるのであり、又、図６に示すように、外側ノズル９の下流側端部９ａを内側ノズル１０の下流側に位置させる場合には、外側ノズル９と内側ノズル１０との下流側重なり部分イの断面積が増大することになるので、圧力が低下し内側ノズル１０の壁面１６からの剥離がしやすくなるものである。
【０００９】
更に、内側ノズル１０を対向する外側ノズル片９ｃ，９ｃにて挟み込む形状にすることで、内側ノズル１０の形状を横長に形成しやくすくなるのであり、毛髪のセット性を向上させるものである。
【００１０】
しかも、内側ノズル１０の下流側端部１０ａがその断面形状において、内側に凸になっているのであり、内側ノズル１０から出た風がスムーズに流れやすくなるものである。ちなみに、図７のように、外側に凸にする場合には、内外のノズル９，１０から出た風が干渉し、速度にロスが出るものである。
【００１１】
又、内側ノズル１０の下流側の開口面積が外側ノズル９の開口面積よりも大きくしてあって、外側ノズル９からの風に比べて内側ノズル１０からの風の勢いが強くなるのであり、内側ノズル１０からより強い風が得やすくなるものである。
【００１２】
【発明の実施の形態】
以下、本発明の実施の形態を図面に基づいて説明する。図１は全体断面図、図２はノズルの斜視図、図３はノズルの断面図、図４はノズルの正面図である。
【００１３】
図１に示すように、ヘアードライヤＡの円筒状のハウジング３の先端部には吐風口１を後端部には吸い込み口２を形成してあり、ハウジング３の中央部の下面部にはハンドル１１を設けてある。ハウジング３の内部には、モータ５とファン４更にモータ５の保持と整流のための整流翼６から構成した送風装置１２と、その下流側にヒータ部７を内装してある。ハンドル１１にはオンオフのためのスイッチ１３を設けてあり、更に、下部には電源供給用のコード１４を取り付けている。
【００１４】
図２に示すように、吐風口１のノズル８を外側ノズル９と内側ノズル１０とで構成してあり、吐風口１のノズル８は本実施の形態のように、別部品にしてもよく、ハウジング３と一体化していてもよいものである。
【００１５】
図３に示すように、内側ノズル１０の上流側部分１０ｅが断面形状においてノズル中心軸Ｘに略平行となるとともに下流側部分１０ｆが断面形状においてノズル中心軸Ｘに向けて傾斜させている。内側ノズル１０の上流側部分１０ｅと下流側部分１０ｆとは円弧部（Ｒ部）１５にて緩やかにつながっていて、急激な変化をなくしている。
【００１６】
このような構成によれば、熱風の流れが内側ノズル１０の上流側部分１０ｅに沿ってノズル中心軸Ｘに略平行となり、その後、内側ノズル１０の下流側部分１０ｆに沿ってノズル中心軸Ｘ側に向くのであり、空気の粘性により内側ノズル１０の壁面に寄せられ、剥離し難くなり、結果として、風量の減少を軽減しながら風速を増すことができ、熱風の温度を上げることなく良好なセット・乾燥がおこなえるものである。
【００１７】
ところで、外側ノズル９と内側ノズル１０とをノズル中心軸Ｘの長さ方向において重なっているのであり、かつ、内側ノズル１０の下流側端部１０ａが外側ノズル９の下流側端部９ａよりも下流側にあり、内側ノズル１０の上流側端部１０ｂが外側ノズル９の下流側端部９ａにノズル中心軸Ｘの長さ方向において重なっているのであり、上記の作用をより効果的になるものである。
【００１８】
又、図４に示すように、内側ノズル１０を対向する外側ノズル片９ｃ，９ｃにて挟み込む形状にしてあって、内側ノズル１０の形状を横長に形成しやくすくなり、毛髪のセット性を向上させることができるものである。
【００１９】
この場合、内側ノズル１０の下流側の開口面積が外側ノズル９の開口面積よりも大きくなっていて、外側ノズル９からの風に比べて内側ノズル１０からの風の勢いが強くなるのであり、内側ノズル１０からより強い風が得やすくなるものである。外側ノズル９と内側ノズル１０との位置関係は、図８に示すように、外側ノズル９が内側ノズル１０の全外周を囲むようにしてもよいものである。
【００２０】
ところで、図５に示すように、外側ノズル９と内側ノズル１０を重ねなくてもよいが、この場合には、内側ノズル１０の外周部から風が広がって内側ノズル１０の壁面から剥離しやすく、風速のロスが生じるのである。又、図６に示すように、外側ノズル９の下流側端部９ａを内側ノズル１０の下流側に位置させる場合には、外側ノズル９と内側ノズル１０との下流側重なり部分イの断面積が増大することになるので、圧力が低下し内側ノズル１０の壁面からの剥離がしやすくなるものである。
【００２１】
更に、図３に示すように、内側ノズル１０の下流側端部１０ａがその断面形状において、内側に凸になっているものであり、内側ノズル１０から出た風がスムーズに流れやすくなるものである。ところで、図７のように、内側ノズル１０を外側に凸にする場合には、内外のノズル９，１０から出た風が干渉し、速度にロスが出るものである。
【００２２】
【発明の効果】
本発明においては、吐風口のノズルを外側ノズルと内側ノズルとで構成し、内側ノズルの上流側部分が断面形状においてノズル中心軸に略平行となるとともに下流側部分が断面形状においてノズル中心軸に向けて傾斜させてあるから、風の流れが内側ノズルの上流側部分に沿ってノズル中心軸に略平行となり、その後、内側ノズルの下流側部分に沿ってノズル中心軸側に向くのであり、空気の粘性により内側ノズルの壁面に寄せられ、剥離し難くなり、結果として、風量の減少を軽減しながら風速を増すことができ、良好なセット・乾燥がおこなえるという利点がある。
【００２３】
ところで、外側ノズルと内側ノズルとをノズル中心軸の長さ方向において重ねるのが好ましく、内側ノズルの下流側端部が外側ノズルの下流側端部よりも下流側にあり、内側ノズルの上流側端部が外側ノズルの下流側端部にノズル中心軸の長さ方向において重なるのが、より好ましく、より効果的になるものである。
【００２４】
更に、内側ノズルを対向する外側ノズル片にて挟み込む形状にするのが好ましく、内側ノズルの形状を横長に形成しやくすくなり、毛髪のセット性を向上させることができるものである。
【００２５】
しかも、内側ノズルの下流側端部がその断面形状において、内側に凸になっていることが好ましく、内側ノズルから出た風がスムーズに流れやすくなるものである。
【００２６】
又、内側ノズルの下流側の開口面積が外側ノズルの開口面積よりも大きくするのが好ましく、外側ノズルからの風に比べて内側ノズルからの風の勢いが強くなり、内側ノズルからより強い風が得やすくなるものである。
【図面の簡単な説明】
【図１】本発明の実施の形態を示す全体断面図である。
【図２】同上のノズルの斜視図である。
【図３】同上のノズルの断面図である。
【図４】同上のノズルの正面図である。
【図５】同上の更に他の実施の形態の断面図である。
【図６】同上の更に他の実施の形態の断面図である。
【図７】同上の更に他の実施の形態の断面図である。
【図８】同上の更に他の実施の形態の正面図である。
【図９】従来例の断面図である。
【符号の説明】
１    吐風口
２    吸い込み口
３    ハウジング
４    ファン
５    モータ
６    整流翼
７    ヒータ部
８    ノズル
９    外側ノズル
１０  内側ノズル
【図１】
0003570251.tif 000002
【図２】
0003570251.tif 000003
【図３】
0003570251.tif 000004
【図４】
0003570251.tif 000005
【図５】
0003570251.tif 000006
【図６】
0003570251.tif 000007
【図７】
0003570251.tif 000008
【図８】
0003570251.tif 000009
【図９】
0003570251.tif 000010